(57)【要約】【課題】梁の強度が増し、建築物の耐震性を強化する。【解決手段】梁受け補強横左金具（１）の上部と左側面に金具固定用穴１（２）を設け、正面の中心に梁固定用ボルト穴（３）を設け、正面下部に梁受け補強下金具固定用穴（５）を設け、上部と側面、あるいは側面同志を強化するための補強部分１（４）を設ける。【選択図】　　図１
0003097966.tif 000002
【実用新案登録請求の範囲】
【請求項１】
梁受け補強金具に金具固定用穴１（２）、金具固定用穴２（１１）、梁固定用ボルト穴（３）、補強部分１（４）、補強部分２（１０）、梁受け補強下金具固定用穴（５）、梁受け補強横金具固定用穴（８）、梁及び梁受け補強下右金具の固定用穴（９）、梁及び梁受け補強下左金具の固定用穴（１３）を設けた梁受け補強金具。
【考案の詳細な説明】
【０００１】
【考案の属する技術分野】
本考案は、梁を補強する金具に関する。
【０００２】
【従来の技術】
従来、梁を補強するための金具等は使用されていなかった。
【０００３】
【考案が解決しようとする課題】
従来の建築では、梁自体を強化する方法は少なく、地震等が起こった場合に、梁がずれることにより、家屋が倒壊するおそれがあり、大変危険で、また、いったんずれた梁を補修するには、多大な費用が必要となり、大きな負担となっているという問題点があった。
【０００４】
【課題を解決するための手段】
本考案は、補強金具を梁に固定する事により梁の強度が増す様な手段を設けることとしている。
【０００５】
【考案の実施の形態】
本考案の梁受け補強金具１では、数個に分かれている梁受け補強金具の部品を組み合わせ、梁を包むように固定することで、梁の強度が増す手段を設ける。
【０００６】
上記、梁の強度が増す手段は、梁のどの部分でも取り付けが可能であるが、例えば、梁と柱と横柱の接続部分が摘切である。
【０００７】
また梁強化柱がある場合は、梁を包むような状態で梁受け補強金具を組み合わせて固定した梁と、梁強化柱を固定すると効果的である。
【０００８】
【実施例】
実施例について、図面を参照して説明すると、図１において、梁受け補強横左金具（１）の上部と左側面に金具固定用穴１（２）を設け、正面の中心に梁固定用ボルト穴（３）を設け、正面下部に梁受け補強下金具固定用穴（５）を設け、上部と側面、あるいは側面同志を強化するための補強部分１（４）を設ける。
【０００９】
図８より、梁受け補強横右金具（６）においても、上面に金具固定用穴１（２）を設け、正面の中心には梁固定用ボルト穴（３）を設け、正面の下部に梁受け補強下金具固定用穴（５）を設ける。
【００１０】
図１０、図１１において、上面と側面、または側面同志を強化するための補強部分１（４）を設ける。
【００１１】
図１５、図２２において、梁受け補強横金具固定用穴（８）を設ける。
【００１２】
図２０において梁及び梁受け補強下右金具の固定用穴（９）を設ける。
【００１３】
図２２において、底面側に梁及び梁受け補強下左金具の固定用穴（１３）を設ける。
【００１４】
図１５、図２２において、補強部分２（１０）を設ける。
【００１５】
図１８、図２５において、金具固定用穴２（１１）を設ける。
【００１６】
【考案の効果】
本考案は以上説明した様な形態で実施され、以下に記載される様な効果を奏する。
【００１７】
梁受け補強横左金具、梁受け補強横右金具、梁受け補強下左金具及び梁受け補強下右金具を組み合わせて梁に固定する事により梁の強度が増し、耐震性に優れた建物を作ることができる。
【００１８】
また、数個の部品に分かれている金具を組み合わせて、使用するので、新築建物に限ることなく既存の建物にも使用することができる。
【図面の簡単な説明】
【図１】梁受け補強横左金具の斜視図
【図２】梁受け補強横左金具の正面図
【図３】梁受け補強横左金具の背面図
【図４】梁受け補強横左金具の右側側面図
【図５】梁受け補強横左金具の左側側面図
【図６】梁受け補強横左金具の上面図
【図７】梁受け補強横左金具の底面図
【図８】梁受け補強横右金具の斜視図
【図９】梁受け補強横右金具の背面図
【図１０】梁受け補強横右金具の正面図
【図１１】梁受け補強横右金具の左側側面図
【図１２】梁受け補強横右金具の右側側面図
【図１３】梁受け補強横右金具の上面図
【図１４】梁受け補強横右金具の底面図
【図１５】梁受け補強下左金具の斜視図
【図１６】梁受け補強下左金具の正面図
【図１７】梁受け補強下左金具の背面図
【図１８】梁受け補強下左金具の右側側面図
【図１９】梁受け補強下左金具の左側側面図
【図２０】梁受け補強下左金具の上面図
【図２１】梁受け補強下左金具の底面図
【図２２】梁受け補強下右金具の斜視図
【図２３】梁受け補強下右金具の正面図
【図２４】梁受け補強下右金具の背面図
【図２５】梁受け補強下右金具の右側側面図
【図２６】梁受け補強下右金具の左側側面図
【図２７】梁受け補強下右金具の上面図
【図２８】梁受け補強下右金具の底面図
【図２９】梁受け補強金具を組み合わせた状態を示す斜視図
【図３０】梁受け補強金具を組み合わせた使用状態を示す斜視図
【符号の説明】
１．梁受け補強横左金具
２．金具固定用穴１
３．梁固定用ボルト穴
４．補強部分１
５．梁受け補強下金具固定用穴
６．梁受け補強横右金具
７．梁受け補強下左金具
８．梁受け補強横金具固定用穴
９．梁及び梁受け補強下右金具の固定用穴
１０．補強部分２
１１．金具固定用穴２
１２．梁受け補強横下右金具
１３．梁及び梁受け補強下左金具の固定用穴
【図１】
0003097966.tif 000003
【図２】
0003097966.tif 000004
【図３】
0003097966.tif 000005
【図４】
0003097966.tif 000006
【図５】
0003097966.tif 000007
【図６】
0003097966.tif 000008
【図７】
0003097966.tif 000009
【図８】
0003097966.tif 000010
【図９】
0003097966.tif 000011
【図１０】
0003097966.tif 000012
【図１１】
0003097966.tif 000013
【図１２】
0003097966.tif 000014
【図１３】
0003097966.tif 000015
【図１４】
0003097966.tif 000016
【図１５】
0003097966.tif 000017
【図１６】
0003097966.tif 000018
【図１７】
0003097966.tif 000019
【図１８】
0003097966.tif 000020
【図１９】
0003097966.tif 000021
【図２０】
0003097966.tif 000022
【図２１】
0003097966.tif 000023
【図２２】
0003097966.tif 000024
【図２３】
0003097966.tif 000025
【図２４】
0003097966.tif 000026
【図２５】
0003097966.tif 000027
【図２６】
0003097966.tif 000028
【図２７】
0003097966.tif 000029
【図２８】
0003097966.tif 000030
【図２９】
0003097966.tif 000031
【図３０】
0003097966.tif 000032
【手続補正書】
【提出日】平成15年6月2日(2003.6.2)
【手続補正１】
【補正対象書類名】明細書
【補正対象項目名】請求項　１
【補正方法】変更
【補正の内容】